(57)【要約】【課題】希望波の受信中は、ＩＦフィルタの帯域幅を極度に狭くすることのないＦＭチューナを提供する。【解決手段】隣接妨害検出器７は、ＦＭ検波出力の帯域における隣接妨害波のノイズのレベルと所定のレベルとの差を生成する。このレベル差の信号をコントローラ１１に供給する。変調度検出器９は、ＦＭ検波出力により、希望波の音声レベルを検出し、コントローラ１１に供給する。コントローラ１１は、例えば前記レベル差の信号から前記音声レベルの信号を引き算したレベルに応じて、ＩＦフィルタ１の帯域幅を狭くする率または量を小さくする。【選択図】　図１
2004072576.tif 000002
【特許請求の範囲】
【請求項１】
ＦＭ信号が入力される、帯域幅を切替または可変可能な中間周波数フィルタと、
前記中間周波フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
ＦＭ検波出力より、ＦＭ検波出力の帯域における隣接妨害波のノイズのレベルと所定のレベルとの差を生成する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とするＦＭチューナ。
【請求項２】
ＦＭ信号が入力される、帯域幅を切替または可変可能な中間周波数フィルタと、
前記中間周波フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
前記中間周波数フィルタの出力端と前記ＦＭ検波器の入力端の間から供給されるＦＭ信号のレベルを検出する電界強度検出器と、
前記電界強度検出器からの中間周波数帯域での隣接妨害波の搬送波のレベルと所定のレベルとの差を生成する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とするＦＭチューナ。
【請求項３】
ＦＭ信号が入力される、帯域幅を切替または可変可能な中間周波数フィルタと、
前記中間周波数フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
前記周波数フィルタの出力端に接続されたＦＭ信号の中間周波数の上方と下方にそれぞれ中心点を持つ第１と第２のバンドパスフィルタ、および前記第１と第２のバンドパスフィルタの出力を使って所定の演算を行なう合成回路、および前記合成回路からの出力のレベルと所定のレベルとの差を生成する検出回路を有する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とするＦＭチューナ。
【発明の詳細な説明】
【０００１】
【発明の属する技術分野】
本発明は、ＦＭチューナに関し、特にカーオーディオ等の移動体受信に使用されるものである。
【０００２】
【従来の説明】
図４に、従来のＦＭチューナの構成を示す。図に従って、説明する。
【０００３】
ＩＦフィルタ１は、中間周波数（例えば、４５０ｋＨｚ）を中心にして、−３デシベル帯域幅を約３０ｋＨｚ〜約２００ｋＨｚまで可変できるものである。ＩＦフィルタ１を通過したＦＭ信号は、ＩＦリミッタアンプ３に供給される。
【０００４】
ＩＦリミッタアンプ３は、小さいレベルのＦＭ信号の振幅および大きいレベルのＦＭ信号の振幅を増幅するとともに振幅制限する。つまり、ＩＦリミッタアンプ３は、ＦＭ信号を矩形波の信号とする。ＦＭ検波器５は、ＩＦリミッタアンプ３からのＦＭ信号を検波し、ＦＭ検波出力（音声信号）として出力する。
【０００５】
ＦＭ検波出力は、隣接妨害検出器７に供給される。隣接妨害検出器７は、以下に述べる別個の動作を行う。
【０００６】
（１）隣接妨害検出器７は、ＦＭ検波出力の帯域における隣接妨害波のノイズ（高域に位置する）のレベルと所定のレベルとの差を生成する。このレベル差の信号をコントローラ１１に供給する。コントローラ１１は、隣接妨害検出器７からのレベル差に応じて、ＩＦフィルタの帯域幅を狭くする。
【０００７】
（２）図５に示す如く、電界強度検出器１３を追加する。電界強度検出器１３は、ＦＭ信号を検出し、隣接妨害検出器７に供給する。隣接妨害検出器７は、電界強度検出器１３からの中間周波数帯域での隣接妨害波の搬送波のレベルと所定のレベルとの差を生成する。このレベル差の信号をコントローラ１１に供給する。コントローラ１１は、隣接妨害検出器７からのレベル差に応じて、ＩＦフィルタ１の帯域幅を狭くする。
【０００８】
図５では、ＩＦリミッタアンプ３の中段からＦＭ信号の供給を受けているが、これに限定されるものではない。ＩＦリミッタアンプ３の入力端から、またはＩＦリミッタアンプ３の出力端から、ＦＭ信号を受けても良い。更にＩＦリミッタアンプ３の入力端およびＩＦリミッタアンプ３の中段およびＩＦリミッタアンプ３の出力端から、ＦＭ信号を受けても良い。要は、電界強度検出器１３は、ＩＦフィルタ１の出力端とＦＭ検波器５の入力端の間から、ＦＭ信号を受ける。
【０００９】
この例では、隣接妨害検出器７は、ＦＭ検波出力の供給を受けない。
【００１０】
（３）隣接妨害検出器７は、図３のように構成しても良い。図３に従って、説明する。第１のバンドパスフィルタ１５は、ＦＭ信号の中間周波数の上方に中心点ｆ０を持つフィルタである。第２のバンドパスフィルタ１７は、ＦＭ信号の中間周波数の下方に中心点ｆ０を持つフィルタである。
【００１１】
合成回路１９は、第１と第２のバンドパスフィルタ１５と１７の出力を、例えば加算またはＯＲ演算する。検出回路２１は、合成回路１９からの出力のレベルと所定のレベルとの差を生成する。このレベル差の信号をコントローラ１１に供給する。コントローラ１１は、隣接妨害検出器７からのレベル差に応じて、ＩＦフィルタ１の帯域幅を狭くする。
【００１２】
【発明が解決しようとする課題】
従来のＦＭチューナは、ＦＭ検波出力の帯域における隣接妨害波のノイズ、中間周波数帯域での隣接妨害波の搬送レベル等を所定値に抑えるため、ＩＦフィルタ１の帯域幅を制御している。このため、希望波の変調度が大きい場合にも、ＩＦフィルタ１の帯域幅が、過度に狭くなってしまい、希望波の変調度に対する欠損が大きくなり、ＦＭ検波特性（全高調波歪等）が悪化する。
【００１３】
更に、隣接妨害検出器７の出力は、ＦＭ検波出力の帯域における隣接妨害波のノイズのレベル、または中間周波数帯域での隣接妨害波を検出したものであるため、リップルを生じてしまう。このため、従来の技術例では、隣接妨害時における中間周波数フィルタの安定な帯域幅の切替または可変は望めない。
【００１４】
そこで本発明は、希望波を受信中は、ＩＦフィルタの帯域幅を過度に狭くすることのないＦＭチューナを提供することを目的とする。
【００１５】
更に本発明は、隣接妨害時における中間周波数フィルタの安定な帯域の切替または可変を可能にするＦＭチューナを提供することを目的とする。
【００１６】
【課題を解決するための手段】
（第１の解決手段）
本発明のチューナは、
ＦＭ信号が入力される、帯域幅を切替または可変可能な中間周波数フィルタと、
前記中間周波フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
ＦＭ検波出力より、ＦＭ検波出力の帯域における隣接妨害波のノイズのレベルと所定のレベルとの差を生成する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とする。
【００１７】
（第２の解決手段）
本発明のチューナは、
ＦＭ信号が入力される、帯域幅を切替または可変可能な中間周波数フィルタと、
前記中間周波フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
前記中間周波数フィルタの出力端と前記ＦＭ検波器の入力端の間から供給されるＦＭ信号のレベルを検出する電界強度検出器と、
前記電界強度検出器からの中間周波数帯域での隣接妨害波の搬送波のレベルと所定のレベルとの差を生成する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とする。
【００１８】
（第３の解決手段）
本発明のチューナは、
ＦＭ信号が入力される、帯域幅を切替または可変可能な中間周波数フィルタと、
前記中間周波数フィルタからのＦＭ信号の振幅の増幅と制限をし、ＦＭ信号を矩形波とする中間周波数リミッタアンプと、
前記中間周波数リミッタアンプからのＦＭ信号をＦＭ検波するＦＭ検波器と、
前記周波数フィルタの出力端に接続されたＦＭ信号の中間周波数の上方と下方にそれぞれ中心点を持つ第１と第２のバンドパスフィルタ、および前記第１と第２のバンドパスフィルタの出力を使って所定の演算を行なう合成回路、および前記合成回路からの出力のレベルと所定のレベルとの差を生成する検出回路を有する隣接妨害検出器と、
前記隣接妨害検出器で生成したレベル差の信号が供給されるコントローラと、
前記ＦＭ検波出力から希望波の音声レベルを検出し、この音声レベルの信号を前記コントローラに供給する変調度検出器と、を具備し、
前記コントローラは、前記レベル差の信号と前記音声レベルの信号に基き、前記中間周波数フィルタの帯域幅を制御する制御信号を生成し、かつ前記制御信号に対し所定の時定数を備えたことを特徴とする。
【００１９】
【発明の実施の形態】
図１に、本発明のＦＭチューナの構成を示す。従来と異なるのは、変調度検出器９を追加するとともにコントローラ１１に所定の時定数を持たせた点である。
【００２０】
変調度検出器９は、ＦＭ検波出力から、希望波の音声レベルを検出する。希望波の変調度が大きいほど、大きなレベルの信号となる。この音声レベルをコントローラ１１に供給している。この音声レベルの信号には、ＦＭ検波出力の帯域における隣接妨害波のノイズ、中間周波数帯域の搬送レベル等は基本的には含まれていない。
【００２１】
従来の技術のところでほぼ記述したが、以下に重複して記述する。
【００２２】
ＩＦフィルタ１は、中間周波数（例えば、４５０ｋＨｚ）を中心にして、−３デシベル帯域幅を約３０ｋＨｚ〜約２００ｋＨｚまで可変できるものである。ＩＦフィルタ１を通過したＦＭ信号は、ＩＦリミッタアンプ３に供給される。
【００２３】
ＩＦリミッタアンプ３は、小さいレベルのＦＭ信号の振幅および大きいレベルのＦＭ信号の振幅を増幅するとともに振幅制限する。つまり、ＩＦリミッタアンプ３は、ＦＭ信号を矩形波の信号とする。ＦＭ検波器５は、ＩＦリミッタアンプ３からのＦＭ信号を検波し、ＦＭ検波出力（音声信号）として出力する。
【００２４】
ＦＭ検波出力は、隣接妨害検出器７に供給される。隣接妨害検出器７は、以下に述べる別個の動作を行う。
【００２５】
（１）隣接妨害検出器７は、ＦＭ検波出力の帯域における隣接妨害波のノイズ（高域に位置する）のレベルと所定のレベルとの差を生成する。このレベル差の信号をコントローラ１１に供給する。コントローラ１１には、このレベル差の信号とは別に変調度検出器９からの音声レベルの信号も供給されている。コントローラ１１は、例えばレベル差の信号から音声レベルの信号を引き算したレベルに応じて、ＩＦフィルタの帯域幅を狭くする率または量を小さくする。
【００２６】
（２）図２に示す如く、電界強度検出器１３を追加する。電界強度検出器１３は、ＦＭ信号を検出し、隣接妨害検出器７に供給する。隣接妨害検出器７は、電界強度検出器１３からの中間周波数帯域での隣接妨害波の搬送波のレベルと所定のレベルとの差を生成する。このレベル差の信号をコントローラ１１に供給する。コントローラ１１には、このレベル差の信号とは別に変調度検出器９からの音声レベルの信号も供給されている。コントローラ１１は、例えばレベル差の信号から音声レベルの信号を引き算したレベルに応じて、ＩＦフィルタ１の帯域幅を狭くする率または量を小さくする。
【００２７】
図２では、ＩＦリミッタアンプ３の中段からＦＭ信号の供給を受けているが、これに限定されるものではない。ＩＦリミッタアンプ３の入力端から、またはＩＦリミッタアンプ３の出力端から、ＦＭ信号を受けても良い。更にＩＦリミッタアンプ３の入力端およびＩＦリミッタアンプ３の中段およびＩＦリミッタアンプ３の出力端から、ＦＭ信号を受けても良い。要は、電界強度検出器１３は、ＩＦフィルタ１の出力端とＦＭ検波器５の入力端の間から、ＦＭ信号を受ける。
【００２８】
この例では、隣接妨害検出器７は、ＦＭ検波出力の供給を受けない。
【００２９】
（３）隣接妨害検出器７は、図３のように構成しても良い。図３に従って、説明する。第１のバンドパスフィルタ１５は、ＦＭ信号の中間周波数の上方に中心点ｆ０を持つフィルタである。第２のバンドパスフィルタ１７は、ＦＭ信号の中間周波数の下方に中心点ｆ０を持つフィルタである。
【００３０】
合成回路１９は、第１と第２のバンドパスフィルタ１５と１７の出力を、例えば加算またはＯＲ演算する。検出回路２１は、合成回路１９からの出力のレベルと所定のレベルとの差を生成する。このレベル差の信号をコントローラ１１に供給する。コントローラ１１には、このレベル差の信号とは別に変調度検出器９からの音声レベルの信号も供給されている。コントローラ１１は、例えばレベル差の信号から音声レベルの信号を引き算したレベルに応じて、ＩＦフィルタ１の帯域幅を狭くする率または量を小さくする。
【００３１】
【発明の効果】
以上、本発明のＦＭチューナによれば、希望波を受信中は、ＩＦフィルタ１の帯域幅が過度に狭くならず、ＦＭ検波特性（全高調波歪等）が悪化することがない。更にコントローラ１１は、所定の時定数を持っているため、隣接妨害時における中間周波数の安定な帯域の切替または可変を可能にする。
【図面の簡単な説明】
【図１】本発明のＦＭチューナの構成を示す図である。
【図２】図１のＦＭチューナを一部変更した図である。
【図３】図１のＦＭチューナの隣接妨害検出器の一例を示す図である。
【図４】従来のＦＭチューナの構成を示す図である。
【図５】図４のＦＭチューナを一部変更した図である。
【符号の説明】
１・・ＩＦフィルタ、３・・ＩＦリミッタアンプ、５・・ＦＭ検波器、７・・隣接妨害検出器、９・・変調度検出器、１１・・コントローラ、１３・・電界強度検出器。
【図１】
2004072576.tif 000003
【図２】
2004072576.tif 000004
【図３】
2004072576.tif 000005
【図４】
2004072576.tif 000006
【図５】
2004072576.tif 000007